(57)【要約】      （修正有）【課題】収納物が滑り落ちにくいとともに、収納物が外から見えにくい構造のファイルの提供。【解決手段】ファイル１は、矩形の第１外側樹脂シート１１の第１辺と、矩形の第２外側樹脂シート１２の第１辺とが二つ折り可能に連結されてなる構成のファイルであって、第１と第２外側樹脂シートは不透明樹脂シートで構成され、第１と第２外側樹脂シートの内側に、それぞれ矩形の透明樹脂シート３１，３２が重ねられ、第１と第２外側樹脂シートの第１辺以外の３辺が透明樹脂シートの３辺に溶着されて、シート状の収納物を収納可能なポケット状の収納部４１が形成されていることを特徴としている。【選択図】図１
0003134445.tif 000002
【実用新案登録請求の範囲】
【請求項１】
矩形の第１外側樹脂シートの第１辺と、矩形の第２外側樹脂シートの第１辺とが二つ折り可能に連結されてなる構成のファイルであって、
前記第１と第２外側樹脂シートは不透明樹脂シートで構成され、
前記第１と第２外側樹脂シートの内側に、それぞれ矩形の透明樹脂シートが重ねられ、
前記第１と第２外側樹脂シートの前記第１辺以外の３辺が前記透明樹脂シートの３辺に溶着されて、シート状の収納物を収納可能なポケット状の収納部が形成されていることを特徴とするファイル。
【請求項２】
前記透明樹脂シートの４辺のうちの溶着されていない１辺によって、前記ポケット状の収納部の開口部が形成されており、
前記溶着されていない１辺には切欠き部が形成され、この切欠き部から指を入れて、被収納材を出し入れしやすいように構成されていることを特徴とする請求項１に記載のファイル。
【請求項３】
前記透明樹脂シートの幅は、前記第１および第２外側樹脂シートの幅の６０％〜９５％となっていることを特徴とする請求項１、２の何れか１項に記載のファイル。
【請求項４】
前記溶着されていない１辺には切欠き部の他に、前記１辺の両端近くに切り込み深さが２センチメートル以下の切り込み部が形成されていることを特徴とする請求項１、２、３の何れか１項に記載のファイル。
【請求項５】
前記第１外側樹脂シートと第２外側樹脂シートとを広げた状態では、ほぼＡ３サイズのシート状の収納物が収納可能に形成されていることを特徴とする請求項１、２、３、４の何れか１項に記載のファイル。
【考案の詳細な説明】
【技術分野】
【０００１】
本考案は、カタログや文書資料などのシート状の収納物を収納する機能を備えたファイルに関するものである。
【背景技術】
【０００２】
カタログや文書資料などのシート状の収納物を収納する機能を備えたファイルとしては種々の形態のものがある。
たとえば、図３に示したように、２辺のみが溶着されたポケット状の収納部を備えた二つ折り可能な樹脂製のファイル１００が市販されており、３辺が溶着されたものはなかった。
また、透明樹脂シートで構成されたクリアファイルとして市販されており、不透明樹脂シートで構成されたものはなかった。
【考案の開示】
【考案が解決しようとする課題】
【０００３】
図３に示したような従来のファイル１００は、収納部の２辺１０１、１０２のみが溶着されて、２辺１０３、１０４が開口しているので、逆さまになったときなどに、開口部の辺１０４から被収納物が滑り落ちるという問題があった。
また、図３に示したような従来のファイル１００は、外側１１０も内側１２０も透明樹脂シートで構成されているので、カタログのように外から見えた方がよい収納物を収納するのには適しているが、見積書や契約書などのように、意図しない外部の第三者からは見えない方が好ましい収納物を収納するには適していないという問題があった。
【０００４】
そこで、本考案は、収納物が滑り落ちにくい構造であるとともに、収納物が外から見えにくい構造のファイルの提供を目的としてなされたものである。
【課題を解決するための手段】
【０００５】
本考案にかかる請求項１のファイルは、
矩形の第１外側樹脂シートの第１辺と、矩形の第２外側樹脂シートの第１辺とが二つ折り可能に連結されてなる構成のファイルであって、
前記第１と第２外側樹脂シートは不透明樹脂シートで構成され、
前記第１と第２外側樹脂シートの内側に、それぞれ矩形の透明樹脂シートが重ねられ、
前記第１と第２外側樹脂シートの前記第１辺以外の３辺が前記透明樹脂シートの３辺に溶着されて、シート状の収納物を収納可能なポケット状の収納部が形成されていることを特徴としている。
請求項２のファイルは、
前記透明樹脂シートの４辺のうちの溶着されていない１辺によって、前記ポケット状の収納部の開口部が形成されており、
前記溶着されていない１辺には切欠き部が形成され、この切欠き部から指を入れて、被収納材を出し入れしやすいように構成されている。
請求項３のファイルは、
前記透明樹脂シートの幅は、前記第１および第２外側樹脂シートの幅の６０％〜９５％となっている。
請求項４のファイルは、
前記溶着されていない１辺には切欠き部の他に、前記１辺の両端近くに切り込み深さが２センチメートル以下の切り込み部が形成されている。
請求項５のファイルは、
前記第１外側樹脂シートと第２外側樹脂シートとを広げた状態では、ほぼＡ３サイズのシート状の収納物が収納可能に形成されている。
【考案の効果】
【０００６】
本考案にかかる請求項１のファイルは、
第１と第２外側樹脂シートは不透明樹脂シートで構成され、内側にはそれぞれ透明樹脂シートが重ねられ、３辺が溶着されたポケット状の収納部が形成されているので、シート状の収納物を収納した場合、外側からは不透明で見られず、内側からは透明で見やすい。特に、二つ折りした状態では、裏表両面とも不透明樹脂シートで覆われることになるので、外部からは見られない。しかし、開いた状態では、透明樹脂シートで覆われた面が現れるので、見やすい。
また、収納部の３辺が溶着されているので、収納物が抜け落ちにくい。
請求項２のファイルは、
溶着されていない１辺には切欠き部が形成されているので、この切欠き部から指を入れて、被収納材を出し入れしやすい。
請求項３のファイルは、
前記透明樹脂シートの幅は、前記第１および第２外側樹脂シートの幅の６０％〜９５％となっているので、シート状の収納物を出し入れしやすく、抜け落ちにくい。
請求項４のファイルは、
前記溶着されていない１辺には切欠き部の他に、前記１辺の両端近くに切り込み深さが２センチメートル以下の切り込み部が形成されているので、
前記１辺をめくりあげる力が作用したときに、その力が前記１辺の両端の溶着部に集中して、前記溶着部が破れることを防止する。
請求項５のファイルは、
前記第１外側樹脂シートと第２外側樹脂シートとを広げた状態では、ほぼＡ３サイズのシート状の収納物が収納可能に形成されているので、二つ折りするとほぼＡ４サイズになり、Ａ３サイズやＡ４サイズの見積書や契約書や企画書など、種々の書類を収納することができる。
【考案を実施するための最良の形態】
【０００７】
以下に、本考案にかかるファイルを、その実施の形態を示した図面に基づいて詳細に説明する。
【０００８】
１は本考案に係るファイルであり、このファイル１は、矩形の第１外側樹脂シート１１の第１辺１Ａと、矩形の第２外側樹脂シート１２の第１辺２Ａとが、中央の連結部２で二つ折り可能に連結された状態に構成されている。これは別のシートを結合してもよいが、一般的には元々２倍のサイズのシートを中央で二つ折り可能にしたものである。
前記第１外側樹脂シート１１と第２外側樹脂シート１２は不透明樹脂シートで構成され、前記第１外側樹脂シート１１の内側には、矩形の透明樹脂シート３１が重ねられ、前記第２外側樹脂シート１２の内側には、矩形の透明樹脂シート３２が重ねられている。
そして、前記第１外側樹脂シート１１の前記第１辺以外の３辺１Ｂ、１Ｃ、１Ｄが前記透明樹脂シート３１の３辺に溶着されて、シート状の収納物を収納可能なポケット状の収納部４１が形成されている。
また、前記第２外側樹脂シート１２の前記第１辺以外の３辺２Ｂ、２Ｃ、２Ｄが前記透明樹脂シート３２の３辺に溶着されて、シート状の収納物を収納可能なポケット状の収納部４２が形成されている。
【０００９】
上記構成によれば、図２に示したように、二つ折りした状態では、裏表両面とも不透明樹脂シート１１、１２で覆われることになるので、外部からは見られない。しかし、開いた状態では、透明樹脂シート３１、３２で覆われた面が現れるので見やすい。
このように、二つ折りした状態では外部からは見えず、開いた状態では従来のクリアファイルのように見やすい状態となるので、見積書などのような重要書類を収納するのに適したファイルとなる。
【００１０】
前記透明樹脂シート３１、３２の幅ａは、前記第１および第２外側樹脂シート１１、１２の幅ｂの６０％〜９５％となっている。
６０％未満では収納物が抜け落ちやすくなり、９５％を超えると収納物の抜き差しが困難になるので、６０％〜９５％が好ましい。
【００１１】
前記透明樹脂シート３１、３２の４辺のうち溶着されていない１辺３１Ａ、３２Ａには切欠き部が形成５１、５２され、この切欠き部５１、５２から収納部４１、４２に指を入れて、収納材を出し入れしやすいように構成されている。
この切欠き部５１、５２が無いと、収納物を取り出すときに透明樹脂シート３１、３２をめくるために指を入れることが難しい。
【００１２】
前記溶着されていない１辺３１Ａ、３２Ａには、切欠き部５１、５２の他に、前記１辺の両端近くに２センチメートル以下の切り込み部６１、６２が形成されている。この切り込み部６１、６２が形成されていることにより、前記１辺３１Ａ、３２Ａをめくりあげる力が作用したときに、その力が前記１辺の両端の溶着部に集中して、前記溶着部が破れることを防止する。
【実施例１】
【００１３】
実施例のファイルの大きさは、広げた状態でほぼＡ３サイズ、二つ折りした状態でほぼＡ４サイズとした。
即ち、図１のように、前記第１外側樹脂シートと第２外側樹脂シートとを広げた状態では、ほぼＡ３サイズのシート状の収納物が収納可能に形成されており、図２のように、二つ折りした状態では、ほぼＡ４サイズになるように構成されている。したがって、Ａ３サイズ以下の各サイズの書類などの収納物を収納することができる。
【図面の簡単な説明】
【００１４】
【図１】本考案にかかるファイルを広げた状態の斜視図である。
【図２】前記ファイルを二つ折りした状態の斜視図である。
【図３】従来のファイルを広げた状態の斜視図である。
【符号の説明】
【００１５】
１  ファイル
１１  第１外側樹脂シート
１Ａ  第１辺
１Ｂ、１Ｃ、１Ｄ  他の３辺
１２  第２外側樹脂シート
２Ａ  第１辺
２Ｂ、２Ｃ、２Ｄ  他の３辺
２  連結部
３１  透明樹脂シート
３２  透明樹脂シート
４１  収納部
４２  収納部
【図１】
0003134445.tif 000003
【図２】
0003134445.tif 000004
【図３】
0003134445.tif 000005